(57)【要約】【課題】流動物を充填した収納体の注出口装置で生じやすい後引きを防止する。【解決手段】収納体内の流動物ａを通す収納体に連結された筒体４と、筒体内に設けられた弾性薄板からなる逆止め弁５とを備え、弾性薄板が開位置から閉位置へと復帰する際に筒体の先端から引き戻される流動物ｂを溜める流動物貯留室４ｃが、筒体の先端部に先細状に設けられる。収納体の押圧により筒体内に流入した流動物は、逆止め弁の弾性薄板を押し退けるようにして通過し、流動物貯留室の先細状の先端から外部に流出する。収納体の押圧を止めると、逆止め弁の弾性薄板が原形に復し流動物の流出を停止させるとともに、外部の空気の収納体内への侵入を阻止し、中身の酸化、吸湿等を防止する。また、逆止め弁の弾性薄板が開位置から閉位置へと復帰する際に筒体の先端に付着した流動物を筒体内に引き戻し、引き戻された流動物は先細状の流動物貯留室内に溜められ後引きが防止される。【選択図】図３
2007119040.tif 000002
【特許請求の範囲】
【請求項１】
収納体内の流動物を通す収納体に連結された筒体と、筒体内に設けられた弾性薄板からなる逆止め弁とを備え、弾性薄板が開位置から閉位置へと復帰する際に筒体の先端から引き戻される流動物を溜める流動物貯留室が、筒体の先端部に先細状に設けられたことを特徴とする注出口装置。
【請求項２】
請求項１に記載の注出口装置において、弾性薄板を複数本の切り込みが横断することにより複数枚の弁片が形成されたことを特徴とする注出口装置。
【請求項３】
請求項１又は請求項２に記載の注出口装置において、筒体の流動物貯留室に対応する先端部が、筒体に嵌合可能に形成されたことを特徴とする注出口装置。
【請求項４】
請求項１乃至請求項３のいずれかに記載の注出口装置において、筒体の先端がシール片により閉じられたことを特徴とする注出口装置。
【請求項５】
請求項１乃至請求項４のいずれかに記載の注出口装置において、逆止め弁を保持した内筒が筒体内に挿入されることにより、逆止め弁が筒体内の所定箇所に配置されたことを特徴とする注出口装置。
【請求項６】
請求項１乃至請求項５のいずれかに記載の注出口装置において、筒体の先端を開閉する蓋が筒体に螺合していることを特徴とする注出口装置。
【請求項７】
請求項１乃至請求項６のいずれかに記載の注出口装置において、筒体の先端を開閉する蓋が筒体に一体型ヒンジを介し連結されていることを特徴とする注出口装置。
【請求項８】
請求項１乃至請求項７のいずれかに記載の注出口装置において、筒体の先端を開閉する蓋が破断膜を介して筒体の先端に連結され、蓋と破断膜とにより筒体の先端が密封されたことを特徴とする注出口装置。
【請求項９】
請求項１乃至請求項８のいずれかに記載の注出口装置において、収納体が袋であることを特徴とする注出口装置。
【発明の詳細な説明】
【技術分野】
【０００１】
本発明は、液体、粘稠体等の流動物を袋等から注出するための注出口装置に関する。
【背景技術】
【０００２】
液体、粘稠体等の流動物は、カートン、チューブ、袋等の収納体に充填され、カートン、チューブ、袋等の収納体の各々には内容物である流動物を注出するための各種の注出口装置が設けられる（例えば、特許文献１，２，３，４参照。）。
【０００３】
また、牛乳等を充填するカートンの注出口装置には、逆止め弁が設けられたものがある。逆止め弁により空気がカートン内に流入しないようにし、内容物の酸化、腐敗を抑制しようとする（例えば、特許文献１参照。）。
【０００４】
【特許文献１】特開昭６３−３３２４８号公報
【特許文献２】特開平９−２４９２３７号公報
【特許文献３】実開平２−１０８８６３号公報
【特許文献４】実用新案登録第３０８７２０４号公報
【発明の開示】
【発明が解決しようとする課題】
【０００５】
内容物である流動物を収納体の注出口装置から注出すると、流動物が注出口の回りを伝わって滴るという後引き現象が生じる。上記いずれの注出口装置もこの後引き現象を適正に防止することができない。
【０００６】
従って、本発明は上記問題点を解決することができる注出口装置を提供することを目的とする。
【課題を解決するための手段】
【０００７】
上記課題を解決するため、本発明は次のような構成を採用する。
【０００８】
すなわち、請求項１に係る発明は、収納体（２）内の流動物（ａ）を通す収納体（２）に連結された筒体（４）と、筒体（４）内に設けられた弾性薄板からなる逆止め弁（５）とを備え、弾性薄板が開位置から閉位置へと復帰する際に筒体（４）の先端から引き戻される流動物（ｂ）を溜める流動物貯留室（４ｃ）が、筒体（４）の先端部に先細状に設けられたことを特徴とする。
【０００９】
また、請求項２に係る発明は、請求項１に記載の注出口装置において、弾性薄板を複数本の切り込み（５ａ）が横断することにより複数枚の弁片（５ｂ）が形成されたことを特徴とする。
【００１０】
また、請求項３に係る発明は、請求項１又は請求項２に記載の注出口装置において、筒体（４）の流動物貯留室（４ｃ）に対応する先端部（４ｅ）が、筒体（４）に嵌合可能に形成されたことを特徴とする。
【００１１】
また、請求項４に係る発明は、請求項１乃至請求項３のいずれかに記載の注出口装置において、筒体（４）の先端がシール片（７）により閉じられたことを特徴とする。
【００１２】
また、請求項５に係る発明は、請求項１乃至請求項４のいずれかに記載の注出口装置において、逆止め弁（５）を保持した内筒（６）が筒体（４）内に挿入されることにより、逆止め弁（５）が筒体（４）内の所定箇所に配置されたことを特徴とする。
【００１３】
また、請求項６に係る発明は、請求項１乃至請求項５のいずれかに記載の注出口装置において、筒体（４）の先端を開閉する蓋（８）が筒体（４）に螺合していることを特徴とする。
【００１４】
また、請求項７に係る発明は、請求項１乃至請求項６のいずれかに記載の注出口装置において、筒体（４）の先端を開閉する蓋（１４）が筒体（４）に一体型ヒンジ（１５）を介し連結されていることを特徴とする。
【００１５】
また、請求項８に係る発明は、請求項１乃至請求項７のいずれかに記載の注出口装置において、筒体（４）の先端を開閉する蓋（１０）が破断膜（１１）を介して筒体（４）の先端に連結され、蓋（１０）と破断膜（１１）とにより筒体（４）の先端が密封されたことを特徴とする。
【００１６】
また、請求項９に係る発明は、請求項１乃至請求項８のいずれかに記載の注出口装置において、収納体が袋（２）であることを特徴とする。
【発明の効果】
【００１７】
本発明によれば、収納体（２）内の流動物（ａ）を通す収納体（２）に連結された筒体（４）と、筒体（４）内に設けられた弾性薄板からなる逆止め弁（５）とを備え、弾性薄板が開位置から閉位置へと復帰する際に筒体（４）の先端から引き戻される流動物（ｂ）を溜める流動物貯留室が、筒体（４）の先端部に先細状に設けられたことから、収納体（２）の押圧等により筒体（４）内に流入した流動物（ａ）は、逆止め弁（５）の弾性薄板を押し退けるようにして通過し、流動物貯留室（４ｃ）の先細状の先端から外部に流出するが、収納体（２）の押圧等を止めると、逆止め弁（５）の弾性薄板が原形に復し流動物（ａ）の流出を停止させるとともに、外部の空気の収納体（２）内への侵入を阻止し、中身の酸化、吸湿等を防止する。また、逆止め弁（５）の弾性薄板が開位置から閉位置へと復帰する際に筒体（４）の先端に付着した流動物（ｂ）を筒体（４）内に引き戻し、引き戻された流動物（ｂ）は先細状の流動物貯留室（４ｃ）内に溜められ、これにより後引きが防止される。
【発明を実施するための最良の形態】
【００１８】
以下、図面を参照して本発明を実施するための最良の形態について説明する。
【００１９】
＜実施の形態１＞
図１に示すように、この注出口装置１は、収納体である例えば袋２のシール部３に装着される。袋２内には流動物である例えば練乳が充填されている。
【００２０】
図２及び図４に示すように、注出口装置１は、袋２内の流動物を通す袋２に連結された筒体４と、筒体４内に設けられた弾性薄板からなる逆止め弁５とを備える。
【００２１】
筒体４は、円筒状に形成され、その始端には横断面が扁平楕円形である基部４ａが設けられる。筒体４はこの基部４ａが袋２のシール部３に挟まれヒートシール等されることにより袋２に連結される。
【００２２】
逆止め弁５は、シリコンゴム等の弾性材で形成された円形の弾性薄板からなる。図２に示すように、弾性薄板の中心部には、弾性薄板を横断するように複数本の切り込み５ａが入れられ、これにより複数枚の弁片５ｂが形成されている。具体的には、二本の切り込み５ａによって四枚の弁片５ｂが形成される。袋２の押圧等により袋２内の流動物に圧力が加えられると、図３（Ａ）（Ｂ）に示すように、流動物ａが筒体４内に流入し、弾性薄板の弁片５ｂを押し開いて筒体４の先端から袋２外に流出し、袋２の押圧が解除されると、弾性薄板の弁片５ｂはその弾性により原形に復し筒体４の流路を遮断する。
【００２３】
逆止め弁５は、筒体４の内部に直に固定することもできるが、具体的には図２及び図４に示すように、内筒４の先端に保持され、内筒６が筒体４内に挿入されることにより、筒体４内の所定箇所に配置される。逆止め弁５の弾性薄板の周囲には保持手段として環状溝５ｃが形成され、この環状溝５ｃに内筒６のフランジ６ａが嵌まり込むことにより、逆止め弁５が内筒６の先端に保持される。また、内筒６と筒体４とには結合手段として環状突起６ｂ及び環状溝４ｂが形成される。逆止め弁５を保持した内筒６を筒体４内に挿入し、環状突起６ｂと環状溝４ｂとを嵌合させることにより、逆止め弁５が筒体４内の先端部の所望位置に固定される。
【００２４】
このように、逆止め弁５はヒートシールによることなく内筒６を用いて筒体４内の先端にスナップオンで固定するので、注出口装置１の組み立てが簡易化される。また、ヒートシールによる熱や圧力による逆止め弁５の変形、変質等が防止される。さらに、逆止め弁５は袋２にヒートシールされる基部４ａから離れているので、基部４ａを袋２にヒートシールする際の熱や圧力による変形等が防止される。
【００２５】
筒体４の先端部には、図３（Ａ）（Ｂ）に示すように、弾性薄板の弁片５ｂが開位置から閉位置へと復帰する際に筒体４の先端から引き戻される流動物ａを溜める流動物貯留室４ｃが先細状に形成される。流動物貯留室４ｃは、弾性薄板の弁片５ｂが閉じる時に流動物ａを筒体４側に吸引しうる量に略等しい容積を有する。流動物貯留室４ｃはノズルのように先細になっていることから、流動物ａを小出しに使用することができ、また、流動物貯留室４ｃ内に吸引した流動物ｂが自然に外部に流出するのを防止することができる。
【００２６】
これにより、袋２を押圧することで筒体４内に流入した流動物ａは、図３（Ａ）に示すように、逆止め弁５の弾性薄板の弁片５ｂを押し退けるようにして通過し、流動物貯留室４ｃの先細になった先端から外部に流出するが、袋２の押圧を止めると、図３（Ｂ）に示すように、逆止め弁５の弁片５ｂが原形に復し流動物ａの流出を停止させるとともに、外部の空気の袋２内への侵入を阻止する。また、逆止め弁５の弁片５ｂが開位置（図３（Ａ））から閉位置（図３（Ｂ））へと復帰する際に筒体４の先端に残留した流動物ｂを筒体４内に引き戻す。引き戻された流動物ｂは先細状の流動物貯留室４ｃ内に溜められ、この結果、流動物ｂの後引きが防止される。
【００２７】
その他、図４に示すように、必要に応じて、筒体４の先端がシール片７により閉じられ、袋２内がより適正に密封される。流動物ａを注出口装置１で袋２外に注出するに際してシール片７が破られ、或いは除去される。また、図２に示すように、筒体４にはキャップ状の蓋８が螺合している。この蓋８により開封後の袋２の内容物である流動物ａが保護される。蓋８には破断片８ａを介して環状のピルファープルーフ片８ｂが設けられ、このピルファープルーフ片８ｂが筒体４の外周に形成された突起４ｄに係止される。
【００２８】
次に、上記構成の注出口装置１の作用について説明する。
【００２９】
図２及び図４に示すように、注出口装置１は、逆止め弁５を取り付けた内筒６を筒体４内に挿入して逆止め弁５を筒体４内の所定位置に固定し、筒体４の先端にシール片７を貼着して筒体４の開口を閉じ、蓋８をシール片７の上から筒体４に被せ、筒体４と螺合させることにより組み立てられる。
【００３０】
そして、図１に示すように、袋２のシール部３に基部４ａの箇所で接着することにより袋２に装着される。
【００３１】
内容物である流動物ａは、注出口装置１が装着された袋２の未シール部から袋２内に充填され、しかる後この未シール部がシールされることにより、袋２内に気密状態で貯留される。
【００３２】
袋２は、蓋８を筒体４から外し、シール片７を筒体４の先端から引き剥がすことにより開封される。
【００３３】
袋２を押圧することにより、袋２内の流動物ａは筒体４内に流入し、図３（Ａ）に示すように、逆止め弁５における弾性薄板の弁片５ｂを押し退けるようにして通過し、流動物貯留室４ｃの先細状の先端から外部に流出する。
【００３４】
袋２の押圧を止めると、図３（Ｂ）に示すように、逆止め弁５の弁片５ｂがその弾性により原形に復し流動物ａの流出を停止させ、袋２内を外部から遮断する。これにより、外部の空気の袋２内への侵入が阻止され、中身の酸化、吸湿等が防止される。この場合、流動物ａの収納体が柔軟な袋２であるから、収納体の弾性復帰によるサックバックが防止され、サックバックによる外部の空気の袋２内への侵入が阻止される。
【００３５】
また、逆止め弁５の弁片５ｂが開位置（図３（Ａ））から閉位置（図３（Ｂ））へと復帰するとき、原形に復する弁片５ｂが筒体４の先端に残留した流動物ｂを筒体４内に引き戻す。この引き戻された流動物ｂは先細状の流動物貯留室４ｃ内に溜められる。これにより、流動物ｂが筒体４の先端から滴り落ちるという後引きが防止される。
【００３６】
＜実施の形態２＞
図５に示すように、この実施の形態２に係る注出口装置９は、実施の形態１の場合と同様に袋２に装着されるが、実施の形態１の場合とは異なる蓋１０が採用される。
【００３７】
すなわち、図６及び図７に示すように、栓状の蓋１０が破断膜１１を介して筒体４の先端に連結され、蓋１０と破断膜１１とにより筒体４の先端が密封される。また、これにより実施の形態１の場合のシール片７が省略される。
【００３８】
袋２を開封するには、蓋１０を破断膜１１の箇所で破断させ、再度袋２を閉じる場合は図８に示すように蓋１０を逆さまにして筒体４内に差し込む。これにより、袋２が再度密封され、袋２内の流動物が保護される。
【００３９】
中身の流動物の取り出しは、例えば袋２を押圧することにより行なうことができ、袋２の押圧により袋２内の流動物は筒体４内に流入し、図９（Ａ）に示すように、逆止め弁５における弾性薄板の弁片５ｂを押し退けるようにして流れ、流動物貯留室４ｃの先細になった先端から外部に流出する。
【００４０】
袋２の押圧を止めると、図９（Ｂ）に示すように、逆止め弁５の弁片５ｂがその弾性により原形に復し流動物ａの流出を停止させ、袋２内を外部から遮断する。これにより、空気の袋２内への侵入が阻止され、中身の酸化、吸湿等が防止される。この場合、収納体が柔軟な袋２であるから、収納体の弾性復帰によるサックバックも防止され、サックバックによる空気の袋２内への侵入も防止される。
【００４１】
また、逆止め弁５の弁片５ｂが開位置（図９（Ａ））から閉位置（図９（Ｂ））へと復帰するとき、原形に復する弁片５ｂが筒体４の先端に残留した流動物ｂを筒体４内に引き戻す。この引き戻された流動物ｂは先細の流動物貯留室４ｃ内に溜められる。これにより、流動物ｂが筒体４から滴り落ちるという後引きが防止される。
【００４２】
その他、この実施の形態２において実施の形態１の場合と同じ部分には同じ符号を用いて示し、重複した説明を省略することとする。
【００４３】
＜実施の形態３＞
この実施の形態３に係る注出口装置１２は、実施の形態１，２の場合と同様に袋２に装着されるが、図１０乃至図１２に示すように、実施の形態１，２の場合とは異なる構造の流動物貯留室が採用される。
【００４４】
すなわち、筒体４の流動物貯留室４ｃに対応する先端部４ｅが筒体４とは別個に形成された後に、筒体４の先端に嵌め込まれる。先端部４ｅと筒体４とは例えば環状突起４ｆ及び環状溝４ｇからなる連結手段により連結される。
【００４５】
また、実施の形態１，２における内筒６が省略され、逆止め弁５は筒体４の先端に直に取り付けられる。逆止め弁５における弾性薄板の弁片５ｂは三本の切り込み５ａにより六枚構成とされる。
【００４６】
この実施の形態３において、袋２は蓋８を筒体４から外し、シール片７を筒体４の先端から引き剥がすことにより開封される。
【００４７】
袋２を押圧することにより、袋２内の流動物ａは筒体４内に流入し、図１１（Ａ）に示すように、逆止め弁５における弾性薄板の弁片５ｂを押し退けるようにして通過し、流動物貯留室４ｃの先細状の先端から外部に流出する。
【００４８】
袋２の押圧を止めると、図１１（Ｂ）に示すように、逆止め弁５の弁片５ｂがその弾性により原形に復し流動物ａの流出を停止させ、袋２内を外部から遮断する。これにより、外部の空気の袋２内への侵入が阻止され、中身の酸化、吸湿等が防止される。この場合、収納体が柔軟な袋２であるから、収納体の弾性復帰によるサックバックも防止され、サックバックによる外部の空気の袋２内への侵入も防止される。
【００４９】
また、逆止め弁５の弁片５ｂが開位置（図１１（Ａ））から閉位置（図１１（Ｂ））へと復帰するとき、原形に復する弁片５ｂが筒体４の先端に残留した流動物ｂを筒体４内に引き戻す。この引き戻された流動物ｂは先細状の流動物貯留室４ｃ内に溜められる。これにより、流動物ｂが筒体４から滴り落ちるという後引きが防止される。
【００５０】
その他、この実施の形態３において実施の形態１，２の場合と同じ部分には同じ符号を用いて示し、重複した説明を省略することとする。
【００５１】
＜実施の形態４＞
図１３に示すように、この実施の形態４に係る注出口装置１３は、実施の形態１，２，３の場合と同様に袋２に装着されるが、実施の形態１，２，３の場合とは異なる蓋１４が採用される。
【００５２】
すなわち、図１４及び図１６に示すように、蓋１４が筒体４に薄肉の一体型ヒンジ１５を介し連結される。
【００５３】
この実施の形態４において、蓋１４を一体型ヒンジ１５を支点に回して筒体４の先端部を開放し、シール片７を筒体４の先端から引き剥がすことにより袋２が開封される。
【００５４】
袋２を押圧することにより、袋２内の流動物ａは筒体４内に流入し、図１５（Ａ）に示すように、逆止め弁５における弾性薄板の弁片５ｂを押し退けるようにして通過し、流動物貯留室４ｃの先細状の先端から外部に流出する。
【００５５】
袋４の押圧を止めると、図１５（Ｂ）に示すように、逆止め弁５の弁片５ｂがその弾性により原形に復し流動物ａの流出を停止させ、袋２内を外部から遮断する。これにより、外部の空気の袋２内への侵入が阻止され、中身の酸化、吸湿等が防止される。この場合、収納体が柔軟な袋２であるから、収納体の弾性復帰によるサックバックも防止され、サックバックによる外部の空気の袋２内への侵入も防止される。
【００５６】
また、逆止め弁５の弁片５ｂが開位置（図１５（Ａ））から閉位置（図１５（Ｂ））へと復帰するとき、原形に復する弁片５ｂが筒体４の先端に残留した流動物ｂを筒体４内に引き戻す。この引き戻された流動物ｂは先細状の流動物貯留室４ｃ内に溜められる。これにより、流動物ｂが筒体４の先端から滴り落ちるという後引きが防止される。
【００５７】
その他、この実施の形態４において実施の形態１，２，３の場合と同じ部分には同じ符号を用いて示し、重複した説明を省略することとする。
【００５８】
なお、本発明は上記各種実施の形態に限定されるものではなく適宜変更可能であり、例えば実施の形態では内容物の流動物を粘稠物の練乳としたが、それ以外にシロップ、蜂蜜、ゼリー、酸化染毛剤等も充填可能であり、粘度の小さい牛乳等の液体も充填可能である。また、実施の形態では注出口装置を取り付けた袋を四方シール式のものとしたが、二方シール袋、三方シール袋、ガセット袋、自立式袋等であってもよく、また、注出口装置を袋のシール部に装着したが、袋のシート面上の装着することも可能である。また、注出口装置は袋以外にカートン、チューブ等他の形態の収納体に装着することも可能である。チューブ等腰のある収納体を採用する場合は、逆止め弁による残留流動物の引き戻しのほか収納体によるサックバックによっても残留流動物を筒体内に引き戻すことができる。逆止め弁の弁片の形状も適宜変更可能であり、その材料もシリコンゴムに限らず、金属等他の弾性材料を使用することが可能である。流動物貯留室の先端の開口も円形のほか、楕円形、長方形、スリット形等所望の形状とすることができる。
【図面の簡単な説明】
【００５９】
【図１】本発明の実施の形態１の注出口装置が装着された袋の正面図である。
【図２】図１に示す注出口装置の垂直断面図である。
【図３】（Ａ）は流動物の注出を停止した直後における注出口装置の垂直断面図、（Ｂ）は流動物の後引きを阻止した状態の注出口装置の垂直断面図である。
【図４】（Ａ）は注出口装置の分解図、（Ｂ）は注出口装置の分解断面図である。
【図５】本発明の実施の形態２の注出口装置が装着された袋の正面図である。
【図６】図５に示す注出口装置の垂直断面図である。
【図７】図５に示す注出口装置の分解断面図である。
【図８】蓋で注出口装置を閉じた状態を示す垂直断面図である。
【図９】（Ａ）は流動物の注出を停止した直後における注出口装置の垂直断面図、（Ｂ）は流動物の後引きを阻止した状態の注出口装置の垂直断面図である。
【図１０】本発明の実施の形態３の注出口装置の垂直断面図である。
【図１１】（Ａ）は流動物の注出を停止した直後における注出口装置の垂直断面図、（Ｂ）は流動物の後引きを阻止した状態の注出口装置の垂直断面図である。
【図１２】（Ａ）は注出口装置の分解図、（Ｂ）は注出口装置の分解断面図である。
【図１３】本発明の実施の形態４の注出口装置が装着された袋の正面図である。
【図１４】図１３に示す注出口装置の垂直断面図である。
【図１５】（Ａ）は流動物の注出を停止した直後における注出口装置の垂直断面図、（Ｂ）は流動物の後引きを阻止した状態の注出口装置の垂直断面図である。
【図１６】（Ａ）は注出口装置の分解図、（Ｂ）は注出口装置の分解断面図である。
【符号の説明】
【００６０】
２…袋
４…筒体
４ｃ…流動物貯留室
４ｅ…先端部
５…逆止め弁
５ａ…切り込み
５ｂ…弁片
６…内筒
７…シール片
８，１０，１４…蓋
１１…破断膜
１５…一体型ヒンジ
ａ，ｂ…流動物
【図１】
2007119040.tif 000003
【図２】
2007119040.tif 000004
【図３】
2007119040.tif 000005
【図４】
2007119040.tif 000006
【図５】
2007119040.tif 000007
【図６】
2007119040.tif 000008
【図７】
2007119040.tif 000009
【図８】
2007119040.tif 000010
【図９】
2007119040.tif 000011
【図１０】
2007119040.tif 000012
【図１１】
2007119040.tif 000013
【図１２】
2007119040.tif 000014
【図１３】
2007119040.tif 000015
【図１４】
2007119040.tif 000016
【図１５】
2007119040.tif 000017
【図１６】
2007119040.tif 000018